(57)【要約】  本発明は、移動通信システムにおけるアップリンクパケット転送のスケジューリングのために、基地局へ最大端末送信器電力をシグナリングする方法及び装置を提供する。基地局は、端末からアップリンクチャンネル状況情報を受信し、無線網制御器から最大端末送信器電力を受信する。最大端末送信器電力は、端末の最大許容アップリンク送信電力及び最大送信電力のうちの小さい方の値である。基地局は、アップリンクチャンネル状況情報及び最大端末送信器電力に基づいて、端末からのアップリンクパケットの転送をスケジューリングする。
2008529444.tif 000002
【特許請求の範囲】
【請求項１】
アップリンクデータサービスを提供する移動通信システムにおいて前記アップリンクデータサービスをスケジューリングする方法であって、
基地局が、端末のアップリンクチャンネル状況情報を構成する送信電力及び送信電力マージンのうちのいずれか１つを前記端末から受信するステップと、
前記基地局が、無線網制御器が決定した前記端末の最大許容アップリンク送信電力及び前記端末の電力等級に該当する最大送信電力のうちの小さい方の値を包含する最大端末送信器電力を前記無線網制御器から受信するステップと、
前記基地局が、前記端末のアップリンクチャンネル状況情報及び前記最大端末送信器電力に基づいて、前記端末からのアップリンクパケットの転送をスケジューリングするステップと
を具備することを特徴とする方法。
【請求項２】
前記端末から受信された前記送信電力又は前記送信電力マージンを前記最大端末送信器電力から減算することによって、前記端末から受信されない送信電力又は送信電力マージンを決定するステップをさらに具備することを特徴とする請求項１記載の方法。
【請求項３】
前記無線網制御器が、前記端末の最大送信電力を包含する端末性能情報を前記端末から受信するステップと、
前記無線網制御器が、前記端末に対する前記最大許容アップリンク送信電力が存在するか否かを決定するステップと、
前記最大許容アップリンク送信電力が存在する場合、前記無線網制御器が前記最大許容アップリンク送信電力を前記最大送信電力と比較するステップと、
前記無線網制御器が、前記最大許容アップリンク送信電力及び前記最大送信電力のうちの小さい方の値を前記最大端末送信器電力として選択するステップと
をさらに具備することを特徴とする請求項１記載の方法。
【請求項４】
前記最大許容アップリンク送信電力は、共通情報又は専用情報を構成することを特徴とする請求項３記載の方法。
【請求項５】
前記最大許容アップリンク送信電力が存在しない場合、前記無線網制御器が前記最大端末送信器電力を前記最大送信電力に設定するステップをさらに具備することを特徴とする請求項３記載の方法。
【請求項６】
アップリンクデータサービスを提供する移動通信システムにおける無線網制御器において前記アップリンクデータサービスをスケジューリングする方法であって、
端末の最大送信電力を包含する端末性能情報を前記端末から受信するステップと、
前記端末に対する最大許容アップリンク送信電力が存在するか否かを決定するステップと、
前記最大許容アップリンク送信電力が存在すると、前記最大許容アップリンク送信電力及び前記最大送信電力のうちの小さい方の値を最大端末送信器電力として選択し、前記最大端末送信器電力を前記端末と通信する基地局へシグナリングするステップと
を具備することを特徴とする方法。
【請求項７】
前記最大許容アップリンク送信電力は、共通情報又は専用情報を構成することを特徴とする請求項６記載の方法。
【請求項８】
前記最大許容アップリンク送信電力が存在しない場合、前記無線網制御器が前記最大端末送信器電力を前記最大送信電力に設定するステップをさらに具備することを特徴とする請求項６記載の方法。
【請求項９】
アップリンクデータサービスを提供する移動通信システムにおいて前記アップリンクデータサービスをスケジューリングする方法であって、
端末が、前記端末のアップリンクチャンネル状況情報を構成する送信電力及び送信電力マージンのうちのいずれか１つと、前記端末のバッファに格納されている送信されるべきデータ量とを基地局へシグナリングするステップと、
無線網制御器が、前記端末の最大許容アップリンク送信電力及び前記端末の電力等級に該当する最大送信電力のうちの小さい方の値として選択される最大端末送信器電力と前記送信電力又は前記送信電力マージンとに基づいて、前記端末が前記基地局によって決定されるスケジューリング命令を前記基地局から受信するステップと、
前記スケジューリング命令に従って、前記端末がアップリンクデータを前記基地局へ転送するステップと
を具備することを特徴とする方法。
【請求項１０】
前記無線網制御器が、前記端末から前記最大送信電力を包含する端末能力情報を受信するステップと、
前記無線網制御器が、前記端末に対する前記最大許容アップリンク送信電力が存在するか否かを決定するステップと、
前記最大許容アップリンク送信電力が存在すると、前記無線網制御器が前記最大許容アップリンク送信電力及び前記最大送信電力のうちの小さい方の値を前記最大端末送信器電力として選択し、前記無線網制御器が前記最大端末送信器電力を前記基地局へシグナリングするステップと
をさらに具備することを特徴とする請求項９記載の方法。
【請求項１１】
前記最大許容アップリンク送信電力は、共通情報又は専用情報を構成することを特徴とする請求項１０記載の方法。
【請求項１２】
前記最大許容アップリンク送信電力が存在しない場合、前記無線網制御器が前記最大端末送信器電力を前記最大送信電力に設定するステップをさらに具備することを特徴とする請求項１０記載の方法。
【請求項１３】
アップリンクデータサービスを提供する移動通信システムにおけるアップリンク高速パケットデータサービスをスケジューリングする装置であって、
端末の最大送信電力を包含する端末性能情報を前記端末から受信し、前記端末に対する最大許容アップリンク送信電力が存在するか否かを決定し、前記最大許容アップリンク送信電力が存在すると、前記最大許容アップリンク送信電力及び前記最大送信電力のうちの小さい方の値を前記端末の最大端末送信器電力として選択する無線網制御器と、
前記端末から前記端末のアップリンクチャンネル状況情報を構成する送信電力及び送信電力マージンのうちのいずれか一つを受信し、前記無線網制御器から前記最大端末送信器電力を受信し、前記アップリンクチャンネル状況情報及び前記最大端末送信器電力に基づいて、前記端末からのアップリンクパケットの転送をスケジューリングする基地局と
を具備することを特徴とする装置。
【請求項１４】
前記基地局は、前記端末から受信された前記送信電力又は前記送信電力マージンを前記最大端末送信器電力から減算することによって、前記端末から受信されない送信電力又は送信電力マージンを決定するように構成されることを特徴とする請求項１３記載の装置。
【請求項１５】
前記最大許容アップリンク送信電力は、共通情報又は専用情報を構成することを特徴とする請求項１３記載の装置。
【請求項１６】
前記無線網制御器は、前記最大許容アップリンク送信電力が存在しない場合、前記最大端末送信器電力を前記最大送信電力に設定するように構成されることを特徴とする請求項１３記載の装置。
【請求項１７】
アップリンクデータサービスを提供する移動通信システムの端末における前記アップリンクデータサービスをスケジューリングする装置であって、
前記端末のアップリンクチャンネル状況情報を構成する送信電力及び送信電力マージンのうちのいずれか一つと、前記端末のバッファに格納されている送信されるべきデータ量とを基地局へシグナリングするスケジューリング情報送信部と、
無線網制御器によって前記端末の最大許容アップリンク送信電力及び前記端末の電力等級に該当する最大送信電力のうちの小さい方の値として選択される最大端末送信器電力と前記送信電力又は前記送信電力マージンとに基づいて、前記端末が前記基地局によって決定されるスケジューリング命令を前記基地局から受信するスケジューリング割当情報受信部と、
前記スケジューリング命令に従って、前記基地局へのアップリンクデータの転送を制御する制御部と
を具備することを特徴とする装置。
【請求項１８】
前記最大許容アップリンク送信電力は、共通情報又は専用情報を構成することを特徴とする請求項１７記載の装置。
【発明の詳細な説明】
【技術分野】
【０００１】
本発明は、機能強化されたアップリンク専用送信チャンネルサービスをサポートする移動通信システムに関し、特に、基地局がサービング無線網制御部（Serving Radio Network Controller：以下、“ＳＲＮＣ”と称する）から受信された情報に基づいて、端末（User Equipment：以下、“ＵＥ”と称する）からのアップリンクパケットの転送をスケジューリングする方法及び装置に関する。
【背景技術】
【０００２】
非同期広帯域符号分割多元接続（Wideband Code Division Multiple Access：以下、“ＷＣＤＭＡ”と称する）通信システムは、機能強化されたアップリンク専用チャンネル（Enhanced Uplink Dedicated Channel：以下、“Ｅ−ＤＣＨ”と称する）を使用する。Ｅ−ＤＣＨは、ＷＣＤＭＡ通信システムにおいて、アップリンクパケットの転送性能を改善するために提案されたチャンネルである。新たな技術は、適応変調符号化（Adaptive Modulation and Coding：ＡＭＣ）、ハイブリッド自動再送要求（Hybrid Automatic Repeat reQuest：ＨＡＲＱ）、及びさらに短くなった転送時間間隔（transmission time interval：以下、“ＴＴＩ”と称する）を含むＥ−ＤＣＨ転送に導入された。ＡＭＣ及びＨＡＲＱは、高速ダウンリンクパケット接続（High-Speed Downlink Packet Access：以下、“ＨＳＤＰＡ”と称する）に採用されている既存の方式である。ＴＴＩは、物理チャンネルを介して一つのデータブロックが転送される時間単位である。また、ＨＳＤＰＡにおいて、無線網制御部（Radio Network Controller：以下、“ＲＮＣ”と称する）の代わりである基地局（Ｎｏｄｅ Ｂ）は、ダウンリンクチャンネルのスケジューリングだけでなく、アップリンク（Uplink：ＵＬ）チャンネルのスケジューリングも遂行する。従って、アップリンク基地局制御スケジューリング（Node B controlled Scheduling）は、ダウンリンク基地局制御スケジューリングとは異なる。
【０００３】
図１は、典型的な移動通信システムにおけるＥ−ＤＣＨを介したアップリンクパケットの転送を示す図である。
【０００４】
図１を参照すると、参照符号１００は、Ｅ−ＤＣＨサービスをサポートする基地局を示し、参照符号１０１乃至１０４は、Ｅ−ＤＣＨを使用するＵＥを示す。基地局１００は、ＵＥのチャンネル状況に基づいてＵＥ１０１乃至ＵＥ１０４に対するＥ-ＤＣＨのスケジューリングを遂行する。上記スケジューリングは、システム全体の性能を高めるために、基地局１００の測定雑音増加（Noise Rise measurement）値が目標雑音増加（target noise rise）値を超過しないように、基地局１００から遠く離れたＵＥには、低いデータレートを割り当て、基地局１００の近くに位置したＵＥには、高いデータレートを割り当てる方式で遂行される。
【０００５】
図２は、ＵＥ２０２とサービング基地局２０１との間の典型的なＥ−ＤＣＨ送受信手順に対する信号フローを示す図である。
【０００６】
図２を参照すると、ステップ２０３で、基地局２０１及びＵＥ２０２は、これら間のＥ−ＤＣＨを設定する。ステップ２０３は、専用送信チャンネル（Dedicated Transport Channel）を介したメッセージの転送を含む。ステップ２０４で、ＵＥ２０２は、基地局２０１へスケジューリング情報を転送する。上記スケジューリング情報は、送信（Ｔｘ）電力、送信電力マージン、又はＵＥ２０２のバッファ内に格納されている送信されるべきデータ量を含むことができる。
【０００７】
ステップ２１１で、複数のＵＥから上記スケジューリング情報を受信した基地局２０１は、各ＵＥのアップリンクデータの転送をスケジューリングするために、複数のＵＥのスケジューリング情報をモニタリングする。上記スケジューリングを遂行する方法は、基地局２０１によって異なり、下記でさらに詳細に説明する。基地局２０１がＵＥ２０２からのアップリンクパケットの転送を許容することを決定すると、ステップ２０５で、基地局２０１は、スケジューリング割当（Scheduling Assignment）情報、すなわち、スケジューリング命令（scheduling grant）をＵＥ２０２へ転送する。
【０００８】
ステップ２１２で、ＵＥ２０２は、上記スケジューリング割当情報に基づいてＥ−ＤＣＨの転送形式（Transport format：ＴＦ）を決定する。ＵＥ２０２は、ステップ２０６及びステップ２０７で、上記スケジューリング割当情報に従って決定されたデータレート及び送信タイミングを用いて、Ｅ−ＤＣＨに関する制御情報及びＥ−ＤＣＨデータを基地局２０１へ転送する。
【０００９】
ステップ２１３で、基地局２０１は、Ｅ−ＤＣＨ制御情報及びＥ−ＤＣＨデータにエラーがあるか否かを判定する。上記判定の結果、Ｅ−ＤＣＨ制御情報及びＥ−ＤＣＨデータのうちのいずれか１つでもエラーがある場合には、否定的認知（Negative ACKnowledgement：ＮＡＣＫ）信号をＡＣＫ／ＮＡＣＫチャンネルを介してＵＥ２０２へ転送する。一方、Ｅ−ＤＣＨ制御情報及びＥ−ＤＣＨデータのすべてにエラーがない場合には、ステップ２０８で、基地局２０１は、肯定的認知（Acknowledge：ＡＣＫ）信号をＡＣＫ／ＮＡＣＫチャンネルを介してＵＥ２０２へ転送する。
【００１０】
基地局２０１は、ステップ２０４で受信されたスケジューリング情報に基づいてスケジューリングすることによって、ＵＥ２０２に指定するデータレートを決定する。このとき、基地局２０１は、適切なデータレート及び送信タイミングを複数のＵＥに割り当てなければならない。このために、基地局２０１は、アップリンク測定雑音増加（Rise over Thermal；ＲｏＴ）値が目標（target）雑音増加値を超過しないようにスケジューリングを遂行することによって、複数のＵＥにリソースを割り当てる。従って、システムの全性能を向上させるために、チャンネル状況がよいＵＥにより多くのリソースを割り当てる。
【００１１】
下記では、基地局がＵＥからのＥ−ＤＣＨ転送をスケジューリングする手順について説明する。上述したように、基地局２０１は、基地局２０１のＲｏＴが目標ＲｏＴを超過しないようにすると同時に、収容容量（Capacity）を最大にするようにスケジューリングを遂行する。また、上記スケジューリングは、図２のステップ２０４で複数のＵＥから受信されたスケジューリング情報に基づく。上記スケジューリング情報は、次のような方法で基地局２０１へシグナリングされる。
【００１２】
上記スケジューリング情報をシグナリングする方法のうちの１つで、各ＵＥが自身の送信電力を基地局２０１へシグナリングする方法が提示される。ＵＥは、ＵＥのバッファに格納されているデータの量を示すキューサイズ（Queue size）を付加的にシグナリングすることができる。この場合、基地局２０１は、上記送信電力からＵＥのアップリンクチャンネル状況を推定し、これによって、適切なリソースをＵＥに割り当てる。
【００１３】
図１を参照して、このようなシグナリング方法についてさらに詳細に説明する。ＵＥ１０１乃至ＵＥ１０４の各々は、基地局１００との距離が相互に異なり、ＵＥ１０１が最も近くに位置し、ＵＥ１０４が最も遠くに位置する。それ故に、ＵＥ１０１は、最も弱い電力レベルでアップリンクチャンネルを転送し、一方、ＵＥ１０４は、最も強い電力レベルでアップリンクチャンネルを転送する。従って、同一のＲｏＴを維持しつつ、最も高い性能を得るためには、電力レベルとデータレート（data rate）とを反比例するようにスケジューリングする。すなわち、基地局１００は、基地局１００から最も遠くに離れていて、最も小さい送信電力を有するＵＥ１０１には、より大きいデータレートを割り当て、基地局１００の近くに位置して、最も大きい送信電力を有するＵＥ１０４には、より小さいデータレートを割り当てる方式でアップリンクデータの転送をスケジューリングする。
【００１４】
上述したようなスケジューリングを最大チャンネル対干渉比（Maximum C/I（Channel to interference））スケジューリングと呼ぶ。しかしながら、各ＵＥがチャンネル情報のみをシグナリングする場合、基地局は、各ＵＥが使用可能な送信電力マージンに関する情報がなくなるため、スケジューリングの柔軟性をなくす可能性がある。
【００１５】
すなわち、アップリンクチャンネル状況がよいＵＥに多くのリソースを割り当てるとしても、ＵＥが十分な電力マージンを有していない場合には、上記割り当てられたリソースを最大に使用することができない。例えば、ＵＥ１０１が基地局１００の近くに位置して、小さい送信電力レベルでデータを転送することができるので、基地局１００は、相対的に大きいデータレートをＵＥ１０１に割り当てることができる。しかしながら、ＵＥ１０１が十分な送信電力マージンを有していない場合には、上記割り当てられたリソースを最大に使用することができない。すなわち、上述したように、基地局１００がＵＥ１０１の使用可能な送信電力マージンに関する情報を有していないため、どのくらいのリソースをＵＥ１０１に割り当てるべきかを効率的に判断することができない。
【００１６】
上記スケジューリング情報をシグナリングする方法のうちのもう１つとして、ＵＥの送信電力マージンを上記スケジューリング情報としてシグナリングする方法が考えられる。
【００１７】
複数のＵＥから送信電力マージンを受信した後、基地局は、セル性能を増加させる方式で、送信電力マージンに基づいてスケジューリングすることによって、複数のＵＥにリソースを割り当てる。
【００１８】
このようなシグナリング方法は、基地局が各ＵＥの正確なチャンネル状況を把握することができないという短所がある。すなわち、上記送信電力マージン情報のみでは、ＵＥのアップリンクチャンネル状況を正確に導き出すことができない。結果的に、チャンネル状況に基づくＣ／Ｉスケジューリング方式は、使用することができない。
【００１９】
例えば、ＵＥ１０１乃至ＵＥ１０４が自身の送信電力マージンを基地局１００へ転送する場合、基地局１００は、より大きい送信電力マージンを有するＵＥにより多くのリソースを割り当て、より小さい送信電力マージンを有するＵＥにより少ないリソースを割り当てる。しかしながら、ＵＥが十分な送信電力マージンを有するとしても、ＵＥのチャンネル環境がよくない場合には、基地局は、上記送信電力マージンに該当するだけのリソースを実際に割り当てない。すなわち、基地局がこのようなリソースを割り当てるとしても、上記のような良くないチャンネル状況は、正常なデータ送受信の失敗につながり、このことより、チャンネル容量が低減するという問題点があった。
【００２０】
従って、移動通信システムにおけるアップリンクパケットの転送に用いるために、ＵＥ情報を効率よくシグナリングするためのシステム及び方法に対する必要性が高まっている。
【発明の開示】
【発明が解決しようとする課題】
【００２１】
上記背景に鑑みて、本発明の目的は、Ｅ−ＤＣＨをサポートする各ＵＥが、Ｅ−ＤＣＨの送信に使用可能な総送信電力情報をシグナリングする方法及び装置を提供することにある。
【課題を解決するための手段】
【００２２】
上記のような目的を達成するために、本発明の第１の特徴によると、アップリンクデータサービスを提供する移動通信システムにおいて上記アップリンクデータサービスをスケジューリングする方法は、基地局が、端末のアップリンクチャンネル状況情報を構成する送信電力及び送信電力マージンのうちのいずれか１つを上記端末から受信するステップと、上記基地局が、無線網制御器が決定した上記端末の最大許容アップリンク送信電力及び上記端末の電力等級に該当する最大送信電力のうちの小さい方の値を包含する最大端末送信器電力を上記無線網制御器から受信するステップと、上記基地局が、上記端末のアップリンクチャンネル状況情報及び上記最大端末送信器電力に基づいて、上記端末からのアップリンクパケットの転送をスケジューリングするステップとを具備することを特徴とする。
【００２３】
本発明の第２の特徴によると、アップリンクデータサービスを提供する移動通信システムにおける無線網制御器において上記アップリンクデータサービスをスケジューリングする方法は、端末の最大送信電力を包含する端末性能情報を上記端末から受信するステップと、上記端末に対する最大許容アップリンク送信電力が存在するか否かを決定するステップと、上記最大許容アップリンク送信電力が存在すると、上記最大許容アップリンク送信電力及び上記最大送信電力のうちの小さい方の値を最大端末送信器電力として選択し、上記最大端末送信器電力を上記端末と通信する基地局へシグナリングするステップとを具備することを特徴とする。
【００２４】
本発明の第３の特徴によると、アップリンクデータサービスを提供する移動通信システムにおいて上記アップリンクデータサービスをスケジューリングする方法は、端末が、上記端末のアップリンクチャンネル状況情報を構成する送信電力及び送信電力マージンのうちのいずれか１つと、上記端末のバッファに格納されている送信されるべきデータ量とを基地局へシグナリングするステップと、無線網制御器が、上記端末の最大許容アップリンク送信電力及び上記端末の電力等級に該当する最大送信電力のうちの小さい方の値として選択される最大端末送信器電力と上記送信電力又は上記送信電力マージンとに基づいて、上記端末が上記基地局によって決定されるスケジューリング命令を上記基地局から受信するステップと、上記スケジューリング命令に従って、上記端末がアップリンクデータを上記基地局へ転送するステップとを具備することを特徴とする。
【００２５】
本発明の第４の特徴によると、アップリンクデータサービスを提供する移動通信システムにおけるアップリンク高速パケットデータサービスをスケジューリングする装置は、端末の最大送信電力を包含する端末性能情報を上記端末から受信し、上記端末に対する最大許容アップリンク送信電力が存在するか否かを決定し、上記最大許容アップリンク送信電力が存在すると、上記最大許容アップリンク送信電力及び上記最大送信電力のうちの小さい方の値を上記端末の最大端末送信器電力として選択する無線網制御器と、上記端末から上記端末のアップリンクチャンネル状況情報を構成する送信電力及び送信電力マージンのうちのいずれか一つを受信し、上記無線網制御器から上記最大端末送信器電力を受信し、上記アップリンクチャンネル状況情報及び上記最大端末送信器電力に基づいて、上記端末からのアップリンクパケットの転送をスケジューリングする基地局とを具備することを特徴とする。
【００２６】
本発明の第５の特徴によると、アップリンクデータサービスを提供する移動通信システムの端末における上記アップリンクデータサービスをスケジューリングする装置は、上記端末のアップリンクチャンネル状況情報を構成する送信電力及び送信電力マージンのうちのいずれか一つと、上記端末のバッファに格納されている送信されるべきデータ量とを基地局へシグナリングするスケジューリング情報送信部と、無線網制御器によって上記端末の最大許容アップリンク送信電力及び上記端末の電力等級に該当する最大送信電力のうちの小さい方の値として選択される最大端末送信器電力と上記送信電力又は上記送信電力マージンとに基づいて、上記端末が上記基地局によって決定されるスケジューリング命令を上記基地局から受信するスケジューリング割当情報受信部と、上記スケジューリング命令に従って、上記基地局へのアップリンクデータの転送を制御する制御部とを具備することを特徴とする。
【発明の効果】
【００２７】
本発明の実施形態は、Ｅ−ＤＣＨをサポートする移動通信システムにおけるＵＥ、基地局、及びＲＮＣ間で基地局制御スケジューリングに関連した情報を効率的にシグナリングすることによって、基地局制御スケジューリングが、さらに効率的になると共に、最適化されることができ、これに従って、システム全体の性能を向上させることができるという長所を有する。
【発明を実施するための最良の形態】
【００２８】
以下、本発明の好適な一実施形態を添付図面を参照しつつ詳細に説明する。下記の説明において、本発明の要旨のみを明瞭にする目的で、関連した公知の機能又は構成に関する具体的な説明は省略する。
【００２９】
本発明の実施形態は、基地局がＥ−ＤＣＨをサポートする各ＵＥに対する最適のスケジューリングを遂行するためのシステム及び方法を提案する。このようにするためには、基地局は、ＵＥの送信電力マージン及び送信電力のすべてを考慮する。ＵＥがスケジューリング情報を物理チャンネルを介して基地局へ直接に転送する方法の他にも、次のような方法が、本発明の実施形態によるスケジューリング情報を効率的にシグナリングするために使用されることができる。
【００３０】
アップリンクチャンネル状況情報を示す送信電力（Tx（power））及び送信電力マージン（Tx（margin））には、下記式（１）のような関係が成立する。
【００３１】
【数１】
2008529444.tif 000003
【００３２】
上記式（１）に従うと、最大端末送信器電力（Maximum UE transmitter Power）は、送信電力及び送信電力マージンの総計である。
【００３３】
従って、基地局がＵＥの最大端末送信器電力に関する情報を有している場合、基地局が上記送信電力及び上記送信電力マージンのうちの１つのみをＵＥから受信するとしても、基地局は、上記式（１）を用いて他の情報を推定することができ、これによって、効率的なスケジューリングを可能にする。
【００３４】
上述したように、基地局は、ＵＥから受信されたスケジューリング情報に基づくスケジューリングを通じて、Ｅ−ＤＣＨを使用するＵＥにリソースを割り当てる。これに関連して、本発明の実施形態は、効率的なスケジューリングのために、ＵＥの最大端末送信器電力を基地局へ通知する方法及び装置を提供する。
【００３５】
以下では、上記最大端末送信器電力に関連した２種類の要素、すなわち、最大送信電力及び最大許容アップリンク（Uplink：ＵＬ）送信電力についてさらに詳細に説明する。
【００３６】
Ｅ−ＤＣＨでは、各ＵＥの性能（capability）に従って４種類の送信電力等級を定義しており、その等級の一例は、下記＜表１＞の通りである。
【００３７】
【表１】
2008529444.tif 000004
【００３８】
上記＜表１＞は、ＵＥの電力等級（Power Class）に従って、ＵＥが物理的に転送することができる最大送信電力及び電力誤差限度を規定している。すなわち、電力等級３（Power Class 3）を有するＵＥの場合、ＵＥが使用することができる最大送信電力は、＋２４ｄＢｍであり、その電力誤差限度は、＋１ｄＢから−３ｄＢまでの間である。動作帯域（Operating band）は、使用されるＷＣＤＭＡ帯域を意味し、３種類に区分されている。ＵＥは、上記電力等級に該当する最大送信電力を無線リソース制御（Radio Resource Controller：ＲＲＣ）シグナリングを通じてサービング無線網制御器（Serving Radio Network Controller：ＳＲＮＣ）に報告することができる。
【００３９】
図３は、本発明の実施形態による最大送信電力情報のシグナリングフローを示す図である。
【００４０】
図３を参照すると、ＵＥ３０１は、物理的な値として設定されたＵＥ性能情報３０３をＲＲＣメッセージを通じてＳＲＮＣ３０２へ転送する。このとき、ＵＥ性能情報３０３は、ＵＥ３０１の電力等級に該当する最大送信電力情報を包含するが、これに限定されない。
【００４１】
ＵＥ性能情報３０３を受信したＳＲＮＣ３０２は、基地局が管理するセルの効率的なリソース管理のために、上記セルに属しているすべてのＵＥ又は該当ＵＥが使用することができる最大ＵＬ送信電力値を制限する。上記最大ＵＬ送信電力値は、最大許容ＵＬ送信電力（Maximum Allowed UL Tx Power）と呼び、一例として、下記＜表２＞のような範囲の値を有する。
【００４２】
【表２】
2008529444.tif 000005
【００４３】
図４は、本発明の実施形態による最大許容ＵＬ送信電力情報のシグナリングフローを示す図である。
【００４４】
図４を参照すると、ＳＲＮＣ４０２は、最大許容ＵＬ送信電力（Maximum Allowed UL Tx Power）４０３をＲＲＣメッセージを通じてＵＥ４０１へ転送する。上記ＲＲＣメッセージには、システム情報ブロック（System Information Block：ＳＩＢ）又は専用メッセージが該当されるが、これに限定されない。
【００４５】
最大端末送信器電力（Maximum UE transmitter Power）に関連して、ＵＥは、ＵＥの電力等級に該当する最大送信電力及びＳＲＮＣが転送した最大許容ＵＬ送信電力に関する情報のすべてを有している。
【００４６】
任意の時間にＵＥが転送することができる最大端末送信器電力（Maximum UE transmitter Power）は、最大送信電力（maximum transmit power）及び最大許容ＵＬ送信電力（maximum allowed UL Tx power）のうちの小さい方の値であり、下記式（２）のように表現されることができる。
【００４７】
【数２】
2008529444.tif 000006
【００４８】
従って、本発明の実施形態は、効率的なスケジューリングのために、基地局が、任意の時間にＵＥが使用可能な最大送信電力値である最大端末送信器電力が分かるようにする方法を提案する。ＵＥは、送信電力及び送信電力マージンのうちのいずれか一つを基地局へ直接に転送する。
【００４９】
ＳＲＮＣは、ＵＥの最大端末送信器電力を基地局アプリケーションプロトコル（Node B Application Protocol：ＮＢＡＰ）シグナリングによって、又はデータペイロード（data payload）に含ませてユーザプレーン（User plane）を通して、基地局へ通知する。ＵＥが最大送信電力及び最大許容ＵＬ送信電力のうちの小さい方の値を最大端末送信器電力として選択することによって動作するので、基地局は、ＵＥが選択した情報をＳＲＮＣから受信する必要がない。もし上記情報をＳＲＮＣから受信すると、不必要なオーバーヘッドを発生させることになる。
【００５０】
従って、本発明の実施形態において、ＳＲＮＣは、上記最大送信電力及び上記最大許容ＵＬ送信電力のうちの小さい方の値を示す最大端末送信器電力を基地局へ転送する。本発明の第１の実施形態及び第２の実施形態を参照して、ＳＲＮＣの動作及びシグナリング過程について、さらに詳細に説明する。
【００５１】
第１の実施形態
本発明の第１の実施形態において、ＲＮＣは、最大許容ＵＬ送信電力情報及び最大送信電力情報の中で基地局に必要とされる情報を選択し、上記選択された情報を基地局へ転送し、ＵＥは、ＵＥの送信電力マージンを基地局へ転送する。
【００５２】
具体的に、ＵＥは、ＵＥの送信電力マージンを物理チャンネルを介して基地局へ転送し、ＲＮＣは、ＵＥの最大端末送信器電力をＩｕｂ接続を介してＮＢＡＰシグナリングによって、又はデータペイロードに含ませてユーザプレーンを通して、基地局へ転送する。このとき、上記最大端末送信器電力は、Ｅ−ＤＣＨのために必要とされる新たなＮＢＡＰメッセージを定義するか、または、既存のＮＢＡＰメッセージを変形することによって伝達される。もしユーザプレーンのメッセージを使用する場合には、ユーザプレーンの変化を招く。
【００５３】
すなわち、ＲＮＣは、あらかじめ定められた基準に従って、最大許容ＵＬ送信電力及び最大送信電力のうちの１つを最大端末送信器電力として選択し、上記最大端末送信器電力をＥ−ＤＣＨのために必要とされるＮＢＡＰメッセージまたはユーザプレーンメッセージを通じて基地局へ転送する。
【００５４】
図５は、本発明の第１の実施形態によるＲＮＣ、基地局、及びＵＥ間のシグナリングを示す図である。
【００５５】
図５を参照すると、ＵＥ５０３は、Ｅ−ＤＣＨサービスを受信し、ＲＮＣ５０１は、ＲＲＣメッセージを通じてＵＥ性能情報５０６をＵＥ５０３から受信する。この後、ＲＮＣ５０１は、ＵＥ５０３の種類をＵＥ性能情報５０６に設定されたＵＥ種類情報から検出して、ＵＥ５０３の最大送信電力をＵＥ種類情報に含まれているＵＥ電力等級情報から取得する。
【００５６】
また、ＲＮＣ５０１は、最大許容ＵＬ送信電力５０５をＵＥ５０３へ転送し、上記最大送信電力及び上記最大許容ＵＬ送信電力を用いてＵＥ５０３の最大端末送信器電力を決定する。
【００５７】
Ｅ−ＤＣＨサービスが開始されると、ＲＮＣ５０１は、最大端末送信器電力５０７をＮＢＡＰメッセージを通じて基地局５０２へ転送する。Ｅ−ＤＣＨを転送する間に、ＵＥ５０３は、ＵＥ５０３の送信電力マージン５０４を周期的に物理チャンネルを介して基地局５０２へ転送する。従って、最大端末送信器電力５０７及び送信電力マージン５０４に関する情報を受信することによって、基地局５０２は、上記式（１）を用いて、ＵＥ５０３の送信電力を計算することができる。このようにして、基地局５０２は、上記送信電力及び上記送信電力マージンをＵＥ５０３のＵＬチャンネル情報として獲得し、従って、さらに効率的であり、最適のスケジューリングを遂行することができる。
【００５８】
図６は、本発明の第１の実施形態によるＳＲＮＣがＮＢＡＰメッセージに含まれる最大端末送信器電力を決定する動作を示すフローチャートである。
【００５９】
ＳＲＮＣは、最大許容ＵＬ送信電力と最大送信電力とのいずれのものを上記最大端末送信器電力として選択するかを決定する。上記最大許容ＵＬ送信電力は、一つのセル内のすべてのＵＥに対して共通とすることもでき、特定のＵＥに対して専用とすることもできる。
【００６０】
図６を参照すると、ＲＮＣは、ステップＳ６０１で、ＵＥに対する最大許容ＵＬ送信電力がすでに存在しているか否かを判定する。上記判定の結果、上記最大許容ＵＬ送信電力が存在しない場合、ＲＮＣは、ステップＳ６０５で、ＵＥの最大端末送信器電力をＵＥから受信されたＵＥの電力等級に該当する最大送信電力に設定する。
【００６１】
一方、上記最大許容ＵＬ送信電力が存在する場合、ＲＮＣは、ステップＳ６０２で、上記最大許容ＵＬ送信電力が共通情報であるか、または、専用情報であるかを判定する。ステップＳ６０１及びステップＳ６０２は、本発明の主な要旨とは関連しない典型的な動作である。
【００６２】
上記判定の結果、上記最大許容ＵＬ送信電力が共通情報である場合、ＳＲＮＣは、ステップＳ６０３で、共通最大許容ＵＬ送信電力を上記最大送信電力と比較する。上記比較の結果、上記共通最大許容ＵＬ送信電力が上記最大送信電力より小さい場合、ＲＮＣは、ステップＳ６０６で、上記最大端末送信器電力を上記共通最大許容ＵＬ送信電力に設定する。
【００６３】
一方、上記比較の結果、上記共通最大許容ＵＬ送信電力が上記最大送信電力より大きいか、または同一である場合、ＳＲＮＣは、ステップＳ６０７で、上記最大端末送信器電力を上記最大送信電力に設定する。
【００６４】
上記判定の結果、ステップＳ６０２で、上記最大許容ＵＬ送信電力が専用情報である場合、ＳＲＮＣは、ステップＳ６０４で、専用最大許容ＵＬ送信電力を上記最大送信電力と比較する。上記比較の結果、上記専用最大許容ＵＬ送信電力が上記最大送信電力より小さい場合、ＲＮＣは、ステップＳ６０８で、上記最大端末送信器電力を上記専用最大許容ＵＬ送信電力に設定する。一方、上記比較の結果、上記専用最大許容ＵＬ送信電力が上記最大送信電力より大きいか、または同一である場合、ＳＲＮＣは、ステップＳ６０７で、上記最大端末送信器電力を上記最大送信電力に設定する。
【００６５】
ステップＳ６０５乃至ステップＳ６０８で、上記最大端末送信器電力を設定した後に、ステップＳ６０９で、ＲＮＣは、上記最大端末送信器電力をＮＢＡＰメッセージ又はユーザプレーンメッセージを用いて基地局へ転送する。
【００６６】
第２の実施形態
本発明の第２の実施形態において、ＲＮＣは、最大許容ＵＬ送信電力及び最大送信電力の中で基地局に必要とされる情報を選択し、上記選択された情報を基地局へ転送し、ＵＥは、ＵＥの送信電力を基地局へ転送する。
【００６７】
具体的に、ＵＥは、ＵＥの送信電力を物理チャンネルを介して基地局へ転送し、ＲＮＣは、ＵＥの最大端末送信器電力をＩｕｂ接続を介してＮＢＡＰシグナリングによって基地局へシグナリングする。このとき、上記最大端末送信器電力は、Ｅ−ＤＣＨのために必要とされる新たなＮＢＡＰメッセージに含まれるか、または、既存のＮＢＡＰメッセージのうちの変形された１つに含まれる。
【００６８】
すなわち、ＲＮＣは、あらかじめ定められた基準に従って、最大許容ＵＬ送信電力及び最大送信電力のうちの１つを最大端末送信器電力として選択し、上記最大端末送信器電力をＥ−ＤＣＨのために必要とされるＮＢＡＰメッセージまたはユーザプレーンメッセージを通じて基地局へ転送する。
【００６９】
図７は、本発明の第２の実施形態によるＲＮＣ、基地局、及びＵＥ間のシグナリングを示す図である。
【００７０】
図７を参照すると、ＵＥ７０３は、Ｅ−ＤＣＨサービスを受信し、ＲＮＣ７０１は、ＲＲＣメッセージを通じてＵＥ性能情報７０６をＵＥ７０３から受信する。この後、ＲＮＣ７０１は、ＵＥ７０３の種類をＵＥ性能情報７０６に設定されたＵＥ種類情報から検出して、ＵＥ７０３の最大送信電力をＵＥ種類情報に含まれているＵＥ電力等級情報から取得する。
【００７１】
また、ＲＮＣ７０１は、最大許容ＵＬ送信電力７０５をＵＥ７０３へ転送し、上記最大送信電力及び上記最大許容ＵＬ送信電力を用いてＵＥ７０３の最大端末送信器電力を決定する。
【００７２】
Ｅ−ＤＣＨサービスが開始されると、ＲＮＣ７０１は、最大端末送信器電力７０７をＮＢＡＰメッセージを通じて基地局７０２へ転送する。Ｅ−ＤＣＨを転送する間に、ＵＥ７０３は、ＵＥ７０３の送信電力７０４を周期的に物理チャンネルを介して基地局７０２へ転送する。従って、最大端末送信器電力７０７及び送信電力７０４に関する情報を受信することによって、基地局７０２は、上記式（１）を用いて、ＵＥ７０３の送信電力マージンを計算することができる。
【００７３】
このようにして、基地局７０２は、ＵＥのＵＬチャンネル状況を示す送信電力及び送信電力マージンのすべてを獲得し、従って、さらに効率的であり、最適のスケジューリングを遂行することができる。ＲＮＣがＮＢＡＰメッセージに含まれる最大端末送信器電力を決定する動作は、図６に示すような手順で行われるので、説明を省略する。
【００７４】
図８は、本発明の望ましい実施形態によるＵＥの構成を概略的に示すブロック図である。
【００７５】
図８を参照すると、ＵＥ８００は、スケジューリング情報を基地局へ転送するスケジューリング情報送信部８０１と、スケジューリング情報を基地局から受信するスケジューリング割当情報受信部８０３と、制御部８０５とを具備する。
【００７６】
スケジューリング情報送信部８０１は、ＵＥのＵＬチャンネル状況を把握することができる送信電力及び送信電力マージンのうちの少なくとも一つとＵＥのバッファに格納されている送信されるべきデータ量とを基地局へシグナリングする。
【００７７】
基地局は、図７の手順に従って、ＳＲＮＣがシグナリングした最大端末送信器電力とＵＥ８００から受信された送信電力あるいは送信電力マージンとに基づいて、ＵＥ８００のデータレート及び送信タイミングを示すスケジューリング命令、すなわち、スケジューリング割当情報を決定して、上記スケジューリング割当情報をＵＥ８００のスケジューリング割当情報受信部８０３へ転送する。
【００７８】
スケジューリング割当情報受信部８０３は、上記スケジューリング割当情報を制御部８０５へ提供する。制御部８０５は、上記スケジューリング割当情報から取得したデータレート及び送信タイミングに基づいてＥ−ＤＣＨデータを転送する。
【００７９】
図９は、本発明の望ましい実施形態によるＵＥの動作を示すフローチャートである。
【００８０】
図９を参照すると、ＵＥは、ステップＳ９０１で、ＵＥのＵＬチャンネル状況を把握することができる送信電力及び送信電力マージンのうちの少なくとも一つとＵＥのバッファに格納されている送信されるべきデータ量とを基地局へシグナリングする。
【００８１】
ステップＳ９０３で、ＵＥは、スケジューリング割当情報を基地局から受信する。基地局は、ＳＲＮＣが決定した最大端末送信器電力とＵＥから受信された送信電力或いは送信電力マージンとに従って、ＵＥのデータレート及び送信タイミングを示すスケジューリング割当情報を決定する。
【００８２】
ＵＥは、ステップＳ９０５で、上記データレート及び送信タイミングに基づいてＥ−ＤＣＨデータを転送する。
【００８３】
なお、本発明の詳細な説明においては、具体的な実施の形態について説明したが、本発明の範囲から逸脱しない範囲内であれば、種々な変形が可能であることは言うまでもない。よって、本発明の範囲は、上述した実施の形態に限定されるものではなく、特許請求の範囲とその均等物によって定められるべきである。
【図面の簡単な説明】
【００８４】
【図１】典型的な移動通信システムにおけるＥ−ＤＣＨを介したＵＬパケット転送を示す図である。
【図２】典型的なＥ−ＤＣＨ送受信手順に対する信号フローを示す図である。
【図３】本発明の実施形態による最大送信電力情報のシグナリングフローを示す図である。
【図４】本発明の実施形態による最大許容ＵＬ送信電力情報のシグナリングフローを示す図である。
【図５】本発明の第１の実施形態によるシステム構成を示す図である。
【図６】本発明の第１の実施形態によるＳＲＮＣの動作を示すフローチャートである。
【図７】本発明の第２の実施形態によるシステム構成を示す図である。
【図８】本発明の望ましい実施形態によるＵＥの構成を概略的に示すブロック図である。
【図９】本発明の望ましい実施形態によるＵＥの動作を示すフローチャートである。
【符号の説明】
【００８５】
１００    基地局
１０１〜１０４    ＵＥ
２０１    サービング基地局
２０２    ＵＥ
３０１    ＵＥ
３０２    ＳＲＮＣ
３０３    ＵＥ性能情報
４０１    ＵＥ
４０２    ＳＲＮＣ
４０３    最大許容ＵＬ送信電力
５０１    ＲＮＣ
５０２    基地局
５０３    ＵＥ
５０４    ＵＥ５０３の送信電力マージン
５０５    最大許容ＵＬ送信電力
５０６    ＵＥ性能情報
５０７    最大端末送信器電力
７０１    ＲＮＣ
７０２    基地局
７０３    ＵＥ
７０４    ＵＥ７０３の送信電力
７０５    最大許容ＵＬ送信電力
７０６    ＵＥ性能情報
７０７    最大端末送信器電力
８００    ＵＥ
８０１    スケジューリング情報送信部
８０３    スケジューリング割当情報受信部
８０５    制御部
【図１】
2008529444.tif 000007
【図２】
2008529444.tif 000008
【図３】
2008529444.tif 000009
【図４】
2008529444.tif 000010
【図５】
2008529444.tif 000011
【図６】
2008529444.tif 000012
【図７】
2008529444.tif 000013
【図８】
2008529444.tif 000014
【図９】
2008529444.tif 000015
【国際調査報告】
2008529444.tif 000016
2008529444.tif 000017